(57)【要約】【課題】熱湯を注いで調理するインスタント焼そばなどを収容した、発泡スチロール製などのトレー状容器５０に被せて熱融着する、複数の湯切り孔ｄ  ，ｄ  ，ｄ  ，…の形成が簡単であって、傾けるだけで、安全に残余の熱湯を湯切りすることができる湯切り機能付の蓋材を提供する。【解決手段】本発明は、外蓋材２０の左右部分に、開蓋方向に平行な２列の切れ目線ｂ  ，ｂを設けて、また内蓋材３０の中央部に、開蓋方向に直交する切れ目線ｃを設けて、さらに内蓋材３０の下流部分に、湯切り孔を形成する複数の円形切れ目線ｄ  ，ｄ  ，ｄ  ，…を設けて、この平行な２列の切れ目線ｂ  ，ｂと直交する切れ目線ｃと下流端辺とで囲んだ領域の、複数の円形切れ目線ｄ  ，ｄ  ，ｄ  ，…の内側を除いた部分に、部分的に設けた剥離剤層４０を介して、この外蓋材２０と内蓋材３０とを積層した湯切り機能付の蓋材である。【選択図】図１
2004262533.tif 000002
【特許請求の範囲】
【請求項１】
外蓋材２０と内蓋材３０とを、部分的に設けた剥離剤層４０を介して積層して成る、開蓋方向の上流端辺につまみａを設けた円形状又は角を丸めた長方形状の湯切り機能付の蓋材であって、外蓋材２０の開蓋方向の左右部分に、開蓋方向に平行な２列の切れ目線ｂ  ，ｂを設けて、また内蓋材３０の開蓋方向の中央部に、開蓋方向に直交する切れ目線ｃを設けて、さらに内蓋材３０の開蓋方向の下流部分に、湯切り孔を形成する複数の円形切れ目線ｄ  ，ｄ  ，ｄ  ，…を設けて、この平行な２列の切れ目線ｂ  ，ｂと直交する切れ目線ｃと下流端辺とで囲んだ領域の、複数の円形切れ目線ｄ  ，ｄ  ，ｄ  ，…の内側を除いた部分に、部分的に設けた剥離剤層４０を介して、この外蓋材２０と内蓋材３０とを積層したことを特徴とする湯切り機能付の蓋材。
【請求項２】
内蓋材３０の開蓋方向の左右部分の、開蓋方向の上流端辺と開蓋方向に直交する切れ目線ｃとの間に、開蓋方向に平行な２列の切れ目線ｅ  ，ｅを設けたことを特徴とする、請求項１に記載の湯切り機能付の蓋材。
【請求項３】
外蓋材２０の開蓋方向の左右部分に、連続したハの字状の、開蓋方向に平行な２列の切れ目線ｂ  ，ｂを設けたことを特徴とする、請求項１又は請求項２に記載の湯切り機能付の蓋材。
【発明の詳細な説明】
【０００１】
【発明の属する技術分野】
本発明は、熱湯を注いで調理するインスタント焼そばなどを収容した、発泡スチロール製などのトレー状容器５０に被せて熱融着する、複数の湯切り孔ｄ  ，ｄ  ，ｄ  ，…の形成が簡単であって、傾けるだけで、安全に残余の熱湯を湯切りすることができる湯切り機能付の蓋材に関する。
【０００２】
【従来の技術】
従来から、熱湯を注いで調理するインスタント焼そば用などの、傾けるだけで残余の熱湯を湯切りすることができる、図４に示すような、適度の強度や剛性などを有する紙積層材料製などの外蓋材２０と、開蓋方向（  図４では右から左  ）の中央部に開蓋方向に直交する切れ目線ｃを設けて、また開蓋方向の下流部分に湯切り孔を形成する複数の円形切れ目線ｄ  ，ｄ  ，ｄ  ，…を設けた、各種バリアー性や熱融着性などを有する樹脂積層材料製などの内蓋材３０とを、この直交する切れ目線ｃの下流側の（  図４Ｂに斜線で示す  ）領域の、複数の円形切れ目線ｄ  ，ｄ  ，ｄ  ，…の内側を除いた部分に、部分的に設けた剥離剤層４０を介して積層して成る、開蓋方向の上流端辺につまみａを設けた円形状又は角を丸めた長方形状の湯切り機能付の蓋材（  特開２００１−１９０５９号公報を参照  ）が、図４Ｃに示すように、インスタント焼そばなどを収容した発泡スチロール製などのトレー状容器５０に被せて、このトレー状容器５０のフランジｆに周辺部を熱融着して、図示していないシュリンク包装をするなどして広く用いられている。
【０００３】
この従来の、発泡スチロール製などのトレー状容器５０に被せて熱融着した、図４に示す湯切り機能付の蓋材については、湯切り機能付の蓋材のつまみａをやゝ強く引張って、中央部に設けた直交する切れ目線ｃ付近まで開蓋して、熱湯を注いで調理（  閉蓋して３分間程度放置  ）した後に、図４Ｂに示すように、直交する切れ目線ｃの下流側の領域に設けた剥離剤層４０を剥離して、内蓋材３０を残して、この領域の外蓋材２０を除去するだけで、図４Ｄに示すように、剥離剤層４０を除いた複数の円形切れ目線ｄ  ，ｄ  ，ｄ  ，…の内側が、この外蓋材２０とともに除去されて開孔して、直交する切れ目線ｃの下流側の領域に残した内蓋材３０に、簡単に複数の湯切り孔ｄ  ，ｄ  ，ｄ  ，…を形成することができる湯切り機能付の蓋材であって、続いてこの直交する切れ目線ｃの下流側の領域に残した内蓋材３０に、複数の湯切り孔ｄ  ，ｄ  ，ｄ  ，…を形成したトレー状容器５０を、開蓋方向の下流側に傾けるだけで、簡単に残余の熱湯を湯切りすることができる湯切り機能付の蓋材である。
【０００４】
【発明が解決しようとする課題】
ところが従来の、発泡スチロール製などのトレー状容器５０に被せて熱融着した、図４に示す湯切り機能付の蓋材については、中央部に設けた直交する切れ目線ｃ付近まで開蓋して、熱湯を注いで調理した後に、適度の強度や剛性などを有する紙積層材料製などの外蓋材２０を完全に除去してしまうために、図４Ｄに示す発泡スチロール製などのトレー状容器５０が変形し易いことが問題であって、直交する切れ目線ｃの下流側の領域に残した内蓋材３０に、複数の湯切り孔ｄ  ，ｄ  ，ｄ  ，…を形成したトレー状容器５０を、開蓋方向の下流側に傾けて湯切りする時に、このトレー状容器５０が変形して残余の熱湯がこぼれて火傷をするなどの、湯切りする時の安全性に問題があった。
【０００５】
そこで、本発明の目的は、熱湯を注いで調理するインスタント焼そばなどを収容した、発泡スチロール製などのトレー状容器５０に被せて熱融着する、複数の湯切り孔ｄ  ，ｄ  ，ｄ  ，…の形成が簡単であって、この複数の湯切り孔ｄ  ，ｄ  ，ｄ  ，…を形成したトレー状容器５０の変形が少ない、傾けるだけで、安全に残余の熱湯を湯切りすることができる湯切り機能付の蓋材を提供することにある。
【０００６】
【課題を解決するための手段】
本発明の湯切り機能付の蓋材は、図１  ，図３に示すように、外蓋材２０と内蓋材３０とを、部分的に設けた剥離剤層４０を介して積層して成る、開蓋方向（  図１  ，図３では右から左  ）の上流端辺につまみａを設けた円形状又は角を丸めた長方形状（  図１  ，図３では円形状  ）の湯切り機能付の蓋材であって、外蓋材２０の開蓋方向の左右部分に、開蓋方向に平行な２列の切れ目線ｂ  ，ｂを設けて、また内蓋材３０の開蓋方向の中央部に、開蓋方向に直交する切れ目線ｃを設けて、さらに内蓋材３０の開蓋方向の下流部分に、湯切り孔を形成する複数（  図１  ，図３では９個  ）の円形切れ目線ｄ  ，ｄ  ，ｄ  ，…を設けて、この平行な２列の切れ目線ｂ  ，ｂと直交する切れ目線ｃと下流端辺とで囲んだ（  図３Ａに斜線で示す  ）領域の、複数の円形切れ目線ｄ  ，ｄ  ，ｄ  ，…の内側を除いた部分に、部分的に設けた剥離剤層４０を介して、この外蓋材２０と内蓋材３０とを積層したことを特徴とする湯切り機能付の蓋材である。
【０００７】
本発明の、熱湯を注いで調理するインスタント焼そばなどを収容した、発泡スチロール製などのトレー状容器５０に被せて熱融着する、外蓋材２０と内蓋材３０とを、部分的に設けた剥離剤層４０を介して積層して成る、開蓋方向の上流端辺につまみａを設けた円形状又は角を丸めた長方形状の湯切り機能付の蓋材においては、外蓋材２０の開蓋方向の左右部分に、開蓋方向に平行な２列の切れ目線ｂ  ，ｂを設けて、また内蓋材３０の開蓋方向の中央部に、開蓋方向に直交する切れ目線ｃを設けて、さらに内蓋材３０の開蓋方向の下流部分に、湯切り孔を形成する複数の円形切れ目線ｄ  ，ｄ  ，ｄ  ，…を設けて、この平行な２列の切れ目線ｂ  ，ｂと直交する切れ目線ｃと下流端辺とで囲んだ領域の、複数の円形切れ目線ｄ  ，ｄ  ，ｄ  ，…の内側を除いた部分に、部分的に設けた剥離剤層４０を介して、この外蓋材２０と内蓋材３０とを積層したことによって、
湯切り機能付の蓋材のつまみａをやゝ強く引張って、外蓋材２０の左右部分に設けた平行な２列の切れ目線ｂ  ，ｂを切断して、内蓋材３０の左右部分を引裂きながら中央部に設けた直交する切れ目線ｃ付近まで開蓋して、熱湯を注いで調理した後に、図３Ａに示すように、平行な２列の切れ目線ｂ  ，ｂと直交する切れ目線ｃと下流端辺とで囲んだ領域に設けた剥離剤層４０を剥離して、内蓋材３０を残して平行な２列の切れ目線ｂ  ，ｂをさらに切断して、この領域の外蓋材２０を除去するだけで、図３Ｂに示すように、剥離剤層４０を除いた複数の円形切れ目線ｄ  ，ｄ  ，ｄ  ，…の内側が、この外蓋材２０とともに除去されて開孔して、平行な２列の切れ目線ｂ  ，ｂと直交する切れ目線ｃと下流端辺とで囲んだ領域に残した内蓋材３０に、簡単に複数の湯切り孔ｄ  ，ｄ  ，ｄ  ，…を形成することができる、前述した従来の図４に示す湯切り機能付の蓋材と同様の、複数の湯切り孔ｄ  ，ｄ  ，ｄ  ，…の形成が簡単な湯切り機能付の蓋材を提供することができる。
【０００８】
しかも、本発明の湯切り機能付の蓋材においては、外蓋材２０の左右部分に設けた平行な２列の切れ目線ｂ  ，ｂを切断して、中央部に設けた直交する切れ目線ｃ付近まで開蓋して、熱湯を注いで調理した後に、この平行な２列の切れ目線ｂ  ，ｂをさらに切断して外蓋材２０を除去して、平行な２列の切れ目線ｂ  ，ｂと直交する切れ目線ｃと下流端辺とで囲んだ領域に残した内蓋材３０に、簡単に複数の湯切り孔ｄ  ，ｄ  ，ｄ  ，…を形成した時に、前述した従来の図４に示す湯切り機能付の蓋材とは異なって、図３Ａ  ，Ｃ  ，Ｄに示すように、左右部分に設けた平行な２列の切れ目線ｂ  ，ｂの外側の、適度の強度や剛性などを有する紙積層材料製などの外蓋材２０が、そのまま残っているために、続いてこの複数の湯切り孔ｄ  ，ｄ  ，ｄ  ，…を形成したトレー状容器５０を、開蓋方向の下流側に傾けて残余の熱湯を湯切りする時に、この外蓋材２０がそのまま残っているトレー状容器５０の変形が少ないものであって、残余の熱湯がこぼれて火傷をするなどの恐れがない、傾けるだけで、安全に残余の熱湯を湯切りすることができる湯切り機能付の蓋材を提供することができる。
【０００９】
加えて、本発明の湯切り機能付の蓋材は、図１Ａ  ，Ｄに示すように、内蓋材３０の開蓋方向の左右部分の、開蓋方向の上流端辺と開蓋方向に直交する切れ目線ｃとの間に、開蓋方向に平行な２列の切れ目線ｅ  ，ｅを設けたことを特徴とする湯切り機能付の蓋材である。
【００１０】
本発明の湯切り機能付の蓋材においては、内蓋材３０の開蓋方向の左右部分の、開蓋方向の上流端辺と開蓋方向に直交する切れ目線ｃとの間に、開蓋方向に平行な２列の切れ目線ｅ  ，ｅを設けたことによって、湯切り機能付の蓋材のつまみａをやゝ強く引張って、外蓋材２０の左右部分に設けた平行な２列の切れ目線ｂ  ，ｂを切断する時に、同時に内蓋材３０の左右部分に設けた平行な２列の切れ目線ｅ  ，ｅを切断して、中央部に設けた直交する切れ目線ｃ付近まで開蓋することができる、内蓋材３０の左右部分を引裂きながら開蓋する必要がない、中央部に設けた直交する切れ目線ｃ付近までの、開蓋が容易な湯切り機能付の蓋材を提供することができる。
【００１１】
また、本発明の湯切り機能付の蓋材は、図１Ａ  ，図３Ａに示すように、外蓋材２０の開蓋方向の左右部分に、連続したハの字状の、開蓋方向に平行な２列の切れ目線ｂ  ，ｂを設けたことを特徴とする湯切り機能付の蓋材である。
【００１２】
本発明の湯切り機能付の蓋材においては、外蓋材２０の開蓋方向の左右部分に、連続したハの字状の、開蓋方向に平行な２列の切れ目線ｂ  ，ｂを設けたことによって、湯切り機能付の蓋材のつまみａをやゝ強く引張って、外蓋材２０の左右部分に設けた平行な２列の切れ目線ｂ  ，ｂを切断する時に、やゝ強く引張る方向がばらついて引裂き方向が左右に曲ることがあっても、連続したハの字状の切れ目が、この左右に曲った引裂きを次々に捕まえて切断する、外蓋材２０の左右部分に設けた平行な２列の切れ目線ｂ  ，ｂの、切断が確実な湯切り機能付の蓋材を提供することができる。
【００１３】
【発明の実施の形態】
本発明の湯切り機能付の蓋材における、図２に示す外蓋材２０については、例えばポリエステル（ＰＥＴ  ）や延伸ポリプロピレン（Ｏ−ＰＰ）などの、引張り強度などが優れた６〜３０μｍ程度の表面樹脂フィルム層２と、表面に美麗な印刷をした上質紙やアート紙などの、適度の剛性などを有する６０〜１３０ｇ／ｍ２  程度の紙材料層３とを、図示していない接着剤層を介するなどして適宜に積層した、適度の強度や剛性などを有する外蓋材２０を、特に制約なく用いることができる。
【００１４】
本発明の湯切り機能付の蓋材における、図２に示す内蓋材３０については、例えば低密度ポリエチレン（ＬＤＰＥ）などの、熱融着性などを有する１２〜３０μｍ程度の接着性樹脂層４と、各種バリアー性などが優れた６〜１８μｍ程度のアルミニウム箔層５と、例えばエチレンーメタアクリル酸共重合体（ＥＭＡＡ）やエチレンー酢酸ビニル共重合体（ＥＶＡ  ）などの、熱融着性とイージーピール（  熱融着した後に剥がすことができる  ）性とを有する２０〜６０μｍ程度のシーラント層６とを、この接着性樹脂層４とシーラント層６とをそれぞれ熱溶融するなどして適宜に積層した、各種バリアー性や熱融着性などを有する内蓋材３０を、特に制約なく用いることができる。
【００１５】
本発明の湯切り機能付の蓋材における、図２に示す剥離剤層４０については、例えば表面に美麗な印刷をした紙材料層３の裏面に、通常のワックス系剥離ニスやシリコン系剥離ニスなどの、前述した接着性樹脂層４との剥離強度が５０ｇ／１５ｍｍ幅程度の剥離剤層４０を、図３Ａに斜線で示す領域の、複数の円形切れ目線ｄ  ，ｄ  ，ｄ  ，…の内側を除いた部分に、印刷するなどして部分的に設けることができる。
【００１６】
本発明の湯切り機能付の蓋材における、前述した表面樹脂フィルム層２と紙材料層３とを積層した外蓋材２０と、前述した接着性樹脂層４とアルミニウム箔層５とシーラント層６とを積層した内蓋材３０とを、部分的に設けた剥離剤層４０を介して積層する方法については、後述する実施例に示すように、引張り強度などが優れた表面樹脂フィルム層２と、裏面に剥離剤層４０を部分的に設けた、適度の剛性などを有する紙材料層３とを、図示していない接着剤層を介して、通常のドライラミネーション方法などで積層して、平行な２列の切れ目線ｂ  ，ｂを貫通して設けた後に、この紙材料層３の裏面に、熱融着性などを有する接着性樹脂層４と、各種バリアー性などが優れたアルミニウム箔層５と、熱融着性とイージーピール性とを有するシーラント層６とを、この接着性樹脂層４とシーラント層６とをそれぞれ熱溶融して、通常の熱押出しラミネーション方法などで同時に積層することができる。
【００１７】
【実施例】
図１Ａは、本発明の実施例における、湯切り機能付の蓋材の平面図であって、図１Ｂ  ，Ｃ  ，Ｄは、その断面説明図である。
また図２Ａ  ，Ｂ  ，Ｃは、本発明の実施例における、湯切り機能付の蓋材の拡大断面説明図である。
さらに図３Ａは、本発明の実施例における、複数の湯切り孔ｄ  ，ｄ  ，ｄ  ，…を形成した湯切り機能付の蓋材の平面図であって、図３Ｂ  ，Ｃ  ，Ｄは、その断面説明図である。
【００１８】
本発明の実施例の湯切り機能付の蓋材は、表面樹脂フィルム層２と紙材料層３とを積層した外蓋材２０と、接着性樹脂層４とアルミニウム箔層５とシーラント層６とを積層した内蓋材３０とを、部分的に設けた剥離剤層４０を介して積層して成る、開蓋方向（  図１  ，図３では右から左  ）の上流端辺につまみａを設けた、図１Ａに示す１８０ｍｍφの円形状の湯切り機能付の蓋材であって、外蓋材２０の開蓋方向の左右部分に、連続したハの字状の、開蓋方向に平行な２列の１００ｍｍ間隔の切れ目線ｂ  ，ｂを設けて、また内蓋材３０の開蓋方向の中央部に、開蓋方向に直交する下流側に膨らんだ切れ目線ｃを設けて、さらに内蓋材３０の開蓋方向の下流部分に、湯切り孔を形成する９個の６ｍｍφの円形切れ目線ｄ  ，ｄ  ，ｄ  ，…を設けて、加えて内蓋材３０の開蓋方向の左右部分の、開蓋方向の上流端辺と開蓋方向に直交する切れ目線ｃとの間に、開蓋方向に平行な２列の１００ｍｍ間隔の切れ目線ｅ  ，ｅを、外蓋材２０の平行な２列の切れ目線ｂ  ，ｂと同じ位置に設けて、この平行な２列の切れ目線ｂ  ，ｂと直交する切れ目線ｃと下流端辺とで囲んだ、図３Ａに斜線で示す領域の、９個の円形切れ目線ｄ  ，ｄ  ，ｄ  ，…の内側を除いた部分に、部分的に設けた剥離剤層４０を介して、この外蓋材２０と内蓋材３０とを積層した湯切り機能付の蓋材である。
【００１９】
すなわち、引張り強度などが優れた通常のポリエステル（ＰＥＴ  ）１２μｍの表面樹脂フィルム層２と、表面に美麗な印刷をして、裏面にシリコン系剥離ニス（  商品名：Ｐ１２６２、東洋インキ製造（株）製  ）５ｇ／ｍ２  ｄｒｙの剥離剤層４０を、平行な２列の切れ目線ｂ  ，ｂと直交する切れ目線ｃと下流端辺とで囲んだ、図３Ａに斜線で示す領域の、９個の円形切れ目線ｄ  ，ｄ  ，ｄ  ，…の内側を除いた部分に、印刷して部分的に設けた、適度の剛性などを有する上質紙７９ｇ／ｍ２  の紙材料層３とを、ウレタン系の接着剤層を介して、通常のドライラミネーション方法で積層して、適度の強度や剛性などを有する外蓋材２０を作製した。
【００２０】
次に、通常の金属打抜刃を用いた打抜工程で、この外蓋材２０の開蓋方向の左右部分に、連続したハの字状の、開蓋方向に平行な２列の１００ｍｍ間隔の切れ目線ｂ  ，ｂを、外蓋材２０を貫通して設けた後に、この外蓋材２０の紙材料層３の裏面に、熱融着性などを有する通常の低密度ポリエチレン（ＬＤＰＥ）２０μｍの接着性樹脂層４と、各種バリアー性などが優れた通常の１２μｍのアルミニウム箔層５と、熱融着性とイージーピール性とを有するエチレンーメタアクリル酸共重合体（ＥＭＡＡ）（商品名：ＶＮ５０３Ｃ、三井デュポン（株）製）３０μｍのシーラント層６とを、この接着性樹脂層４とシーラント層６とをそれぞれ熱溶融して、通常の熱押出しラミネーション方法で同時に積層することによって、表面樹脂フィルム層２と紙材料層３とを積層した外蓋材２０に、紙材料層３の裏面に部分的に設けた剥離剤層４０を介して、接着性樹脂層４とアルミニウム箔層５とシーラント層６とを積層した、各種バリアー性や熱融着性などを有する内蓋材３０を作製した。
【００２１】
続いて、同様の金属打抜刃を用いた打抜工程で、この内蓋材３０の開蓋方向の中央部と下流部分とに、開蓋方向に直交する下流側に膨らんだ切れ目線ｃと湯切り孔を形成する９個の６ｍｍφの円形切れ目線ｄ  ，ｄ  ，ｄ  ，…とを、内蓋材３０を貫通（  シーラント層６側から紙材料層３に達する  ）して設けて、また内蓋材３０の開蓋方向の左右部分の、開蓋方向の上流端辺と開蓋方向に直交する切れ目線ｃとの間に、開蓋方向に平行な２列の１００ｍｍ間隔の切れ目線ｅ  ，ｅを、外蓋材２０の平行な２列の切れ目線ｂ  ，ｂと同じ位置に、同様に内蓋材３０を貫通して設けて、同時に周辺部を切断して、開蓋方向の上流端辺につまみａを設けた１８０ｍｍφの円形状の、本実施例の湯切り機能付の蓋材を作製した。
【００２２】
本実施例の、熱湯を注いで調理するインスタント焼そばなどを収容した、収容部の直径と深さとが約１６ｃｍφ×４ｃｍの、図１Ｂに示す発泡スチロール製のトレー状容器５０に被せて、このトレー状容器５０のフランジｆに周辺部を熱融着する湯切り機能付の蓋材においては、湯切り機能付の蓋材のつまみａをやゝ強く引張って、外蓋材２０の左右部分に設けた連続したハの字状の平行な２列の切れ目線ｂ  ，ｂを確実に切断して、同時に内蓋材３０の左右部分に設けた平行な２列の切れ目線ｅ  ，ｅを切断して、中央部に設けた直交する下流側に膨らんだ切れ目線ｃ付近まで開蓋して、熱湯を注いで閉蓋して３分間程度放置して調理した後に、図３Ａに示すように、平行な２列の切れ目線ｂ  ，ｂと直交する切れ目線ｃと下流端辺とで囲んだ領域に設けた剥離剤層４０を剥離して、内蓋材３０を残して連続したハの字状の平行な２列の切れ目線ｂ  ，ｂをさらに確実に切断して、この領域の外蓋材２０を除去するだけで、図３Ｂに示すように、剥離剤層４０を除いた９個の円形切れ目線ｄ  ，ｄ  ，ｄ  ，…の内側が、この外蓋材２０とともに除去されて開孔して、平行な２列の切れ目線ｂ  ，ｂと直交する切れ目線ｃと下流端辺とで囲んだ領域に残した内蓋材３０に、簡単に９個の湯切り孔ｄ  ，ｄ  ，ｄ  ，…を形成することができる、９個の湯切り孔ｄ  ，ｄ  ，ｄ  ，…の形成が簡単な湯切り機能付の蓋材を得ることができた。
【００２３】
しかも、本実施例の湯切り機能付の蓋材においては、外蓋材２０の左右部分に設けた平行な２列の切れ目線ｂ  ，ｂを切断するなどして、中央部に設けた直交する切れ目線ｃ付近まで開蓋して、熱湯を注いで調理した後に、この平行な２列の切れ目線ｂ  ，ｂをさらに切断して外蓋材２０を除去して、平行な２列の切れ目線ｂ  ，ｂと直交する切れ目線ｃと下流端辺とで囲んだ領域に残した内蓋材３０に、簡単に９個の湯切り孔ｄ  ，ｄ  ，ｄ  ，…を形成した時に、図３Ａ  ，Ｃ  ，Ｄに示すように、左右部分に設けた平行な２列の切れ目線ｂ  ，ｂの外側の、適度の強度や剛性などを有する外蓋材２０が、そのまま残っているために、続いてこの９個の湯切り孔ｄ  ，ｄ  ，ｄ  ，…を形成したトレー状容器５０を、開蓋方向の下流側に傾けて残余の熱湯を湯切りする時に、この外蓋材２０がそのまま残っているトレー状容器５０の変形が少ないものであって、残余の熱湯がこぼれて火傷をするなどの恐れがない、傾けるだけで、安全に残余の熱湯を湯切りすることができる湯切り機能付の蓋材を得ることができた。
【００２４】
【発明の効果】
以上、実施例ほかに示すとおり、本発明の湯切り機能付の蓋材においては、熱湯を注いで調理するインスタント焼そばなどを収容した、発泡スチロール製などのトレー状容器５０に被せて熱融着する、複数の湯切り孔ｄ  ，ｄ  ，ｄ  ，…の形成が簡単であって、この複数の湯切り孔ｄ  ，ｄ  ，ｄ  ，…を形成したトレー状容器５０の変形が少ない、傾けるだけで、安全に残余の熱湯を湯切りすることができる湯切り機能付の蓋材を提供することができる。
【図面の簡単な説明】
【図１】図１Ａは、本発明の実施例における湯切り機能付の蓋材の平面図であって、図１Ｂ  ，Ｃ  ，Ｄは、その断面説明図である。
【図２】図２Ａ  ，Ｂ  ，Ｃは、本発明の実施例における湯切り機能付の蓋材の拡大断面説明図である。
【図３】図３Ａは、本発明の実施例における複数の湯切り孔ｄ  ，ｄ  ，ｄ  ，…を形成した湯切り機能付の蓋材の平面図であって、図３Ｂ  ，Ｃ  ，Ｄは、その断面説明図である。
【図４】図４Ａ  ，Ｂは、従来の湯切り機能付の蓋材の平面図であって、図４Ｃ  ，Ｄは、その断面説明図である。
【符号の説明】
２０          …外蓋材
３０          …内蓋材
４０        …剥離剤層
５０        …トレー状容器
２            …表面樹脂フィルム層
３            …紙材料層
４            …接着性樹脂層
５            …アルミニウム箔層
６            …シーラント層
ａ          …つまみ
ｂ  ，ｃ  ，ｅ    …切れ目線
ｄ          …円形切れ目線  ，湯切り孔
ｆ            …フランジ
【図１】
2004262533.tif 000003
【図２】
2004262533.tif 000004
【図３】
2004262533.tif 000005
【図４】
2004262533.tif 000006